(57)【特許請求の範囲】
【請求項１】
コネクタハウジングに形成された断面矩形状の端子保持穴に圧入されて保持される角線材を有するコネクタ端子において、
前記角線材は、両側面の圧入方向の前後にそれぞれ設けられた第１突起と第２突起とを有し、前記第１突起と前記第２突起は、一方の突起の高さが他方の突起より低く、かつ、一方の突起の圧入方向に直交する方向の幅が他方の突起より広く形成された係止部を有することを特徴とするコネクタ端子。
【請求項２】
前記第１突起と前記第２突起の先端面には、谷底線が前記角線材の長手方向と平行な断面Ｖ形の溝が形成されていることを特徴とする請求項１に記載のコネクタ端子。
【請求項３】
端子保持壁に貫通して設けられた断面矩形状の端子保持穴を有するコネクタハウジングと、前記端子保持穴に圧入されて保持される角線材を有するコネクタ端子と、を備えたコネクタにおいて、
前記角線材は、両側面の圧入方向の前後にそれぞれ設けられた第１突起と第２突起とを有し、前記第１突起と前記第２突起は、一方の突起の高さが他方の突起より低く、かつ、一方の突起の圧入方向に直交する方向の幅が他方の突起より広く形成された係止部を有することを特徴とするコネクタ。
【請求項４】
前記第１突起と前記第２突起の先端面には、谷底線が前記角線材の長手方向と平行な断面Ｖ形の溝が形成されていることを特徴とする請求項３に記載のコネクタ。
【発明の詳細な説明】
【技術分野】
【０００１】
本発明は、自動車等に搭載される各種機器の電気接続に使用されるコネクタ端子及びコネクタに係り、特に、コネクタハウジングの端子保持壁に圧入保持される角線材を使用したコネクタ端子及びコネクタに関する。
【背景技術】
【０００２】
従来、角線材を使用した基板用の端子をコネクタハウジングの端子保持壁に圧入保持する場合の端子保持構造については、種々のものが知られている。例えば特許文献１に記載のものは、コネクタハウジングの端子保持壁に貫通して設けられた複数の端子保持穴に圧入保持され、角線材から成形される基板用の端子構造において、前記端子保持穴に保持される基板用端子の係止部の横方向に前記端子保持穴の両側壁に圧入されるように形成された一対の第１の係止突起を設けるとともに、前記端子保持穴に保持される前記基板用端子の前記係止部の縦方向に前記端子保持穴の少なくとも天壁または底壁に圧入されるように形成された第２の係止突起を設けたものである。
【０００３】
【特許文献１】特開２０００−２４３４９５号公報（「０００７、０００８」、図４）
【発明の開示】
【発明が解決しようとする課題】
【０００４】
上記特許文献１に記載の角線材を使用した基板用コネクタにおいて、端子のハウジングへの保持は、コネクタハウジングの端子保持壁に形成された端子保持穴への端子の圧入と端子の第１、第２の係止突起（ダボ）により保たれている。圧入量が大きく、保持が確実になるが、一方、圧入量が大きいために端子をハウジングに挿入する際の負荷が大きく、端子挿入スピードが低下するのが避けられない。また、端子の形状が複雑となり、正確な成形が困難である。端子挿入スピード低下の対策として端子保持穴を広げることが有効であるが、端子保持穴を広げた分、端子保持力が低下する。
【０００５】
本発明の課題は、端子保持力を低下させることなく、簡易な構造で端子を確実に保持することができるコネクタ端子及びコネクタを提供することである。
【課題を解決するための手段】
【０００６】
上記課題は、コネクタハウジングに形成された断面矩形状の端子保持穴に圧入されて保持される角線材を有するコネクタ端子において、前記角線材は、両側面の圧入方向の前後にそれぞれ設けられた第１突起と第２突起とを有し、前記第１突起と前記第２突起は、一方の突起の高さが他方の突起より低く、かつ、一方の突起の圧入方向に直交する方向の幅が他方の突起より広く形成された係止部を有することを特徴とするコネクタ端子により、達成される。
【０００７】
上記構成において、前記第１突起と前記第２突起の先端面には、谷底線が前記角線材の長手方向と平行な断面Ｖ形の溝が形成されていることが望ましい。
【０００８】
上記課題は、端子保持壁に貫通して設けられた断面矩形状の端子保持穴を有するコネクタハウジングと、前記端子保持穴に圧入されて保持される角線材を有するコネクタ端子と、を備えたコネクタにおいて、前記角線材は、両側面の圧入方向の前後にそれぞれ設けられた第１突起と第２突起とを有し、前記第１突起と前記第２突起は、一方の突起の高さが他方の突起より低く、かつ、一方の突起の圧入方向に直交する方向の幅が他方の突起より広く形成された係止部を有することを特徴とするコネクタにより、達成される。上記構成において、前記第１突起と前記第２突起の先端面には、谷底線が前記角線材の長手方向と平行な断面Ｖ形の溝が形成されていることが望ましい。
【発明の効果】
【０００９】
本発明によれば、簡易な形状で成形加工が容易になるとともに、前部と後部の係止突起の形状が異なるため、それぞれの係止突起が効果的に端子保持壁に食い込み、ハウジングに対し高い端子保持効果が得られる。また、上下左右方向に対する端子の振れも抑制される。
【発明を実施するための最良の形態】
【００１０】
以下、本発明のコネクタ端子及びコネクタに係る実施の形態を、図面を参照して説明する。本発明の実施の形態に係るコネクタにおける角線材を使用したコネクタ端子である基板用端子１は、図６に示したコネクタを構成するコネクタハウジング２の端子保持壁３に設けられた複数の端子保持穴４に圧入保持される。図１に示すように、本実施の形態の基板用端子１は、前部（端子圧入方向後方になる部分）に前部電気接触部１ａが形成されて相手コネクタの電気接触部と電気的に接続される。また後部（端子圧入方向前方になる部分）に後部電気接続部１ｂが形成されていて、コネクタハウジング２の背面に装着された基板８の回路パターン側に貫通してはんだ付けされる。端子保持穴４は側壁５、天壁６、底壁７で囲まれた矩形断面をなしており、角線材を使用して形成された基板用端子１が圧入されるようになっている。
【００１１】
基板用端子１の前記前部電気接触部１ａと後部電気接続部１ｂの中間部には、端子保持穴４に保持される係止部が設けられ、この係止部は、前記後部電気接続部１ｂ側に配置された第１突起である後部係止突起１ｄと、前記前部電気接触部１ａ側、すなわち後部係止突起１ｄの基板用端子１の圧入方向後方側に配置された第２突起である前部係止突起１ｃと、で構成されている。すなわち、基板用端子１の前記前部電気接触部１ａと後部電気接続部１ｂの中間部には、後部係止突起１ｄと前部係止突起１ｃとがそれぞれ設けられ、これら後部係止突起１ｄと前部係止突起１ｃとは、端子保持穴４に保持される係止部を有している。前部係止突起１ｃは、図１のＡ−Ａ’断面である図２に示されているように、基板用端子１の横方向の両側部に互いに対称な形状で方形に突出した突出部をなし、その外方の先端面には、谷底線が基板用端子１の長手方向軸線と平行な断面Ｖ形の溝が形成されている。後部係止突起１ｄも、図１のＢ−Ｂ’断面である図３に示されているように、基板用端子１の横方向の両側部に互いに対称な形状で方形に突出した突出部をなし、その外方の先端面には、谷底線が基板用端子１の長手方向軸線と平行な断面Ｖ形の溝が形成されている。
【００１２】
前部係止突起１ｃと後部係止突起１ｄは、その突出部の図２、図３における図上、上下方向の寸法（基板用端子１が端子保持穴４に圧入されたとき、側壁５に食い込む部分を側壁高さ方向に測った寸法）をそれぞれＸ，Ｘ’としたとき、Ｘ＜Ｘ’であり、その突出部の図２、図３における図上、横方向の寸法（一方の突出部の外側端から他方の突出部の外側端までの寸法）をそれぞれＹ，Ｙ’としたとき、Ｙ＞Ｙ’である点が異なっている。
【００１３】
また、端子保持穴４の側壁高さをＸ０とすると、Ｘ０＞Ｘ’であることはいうまでもなく、端子保持穴４の底壁幅（天壁幅）をＹ０とすると、Ｙ０＜Ｙ’であって、基板用端子１が端子保持穴４に圧入されたとき、前部係止突起１ｃと後部係止突起１ｄは、いずれも、外方側先端部が端子保持穴４の側壁５に食い込んで基板用端子１を端子保持壁３に保持する。
【００１４】
図４に、基板用端子１の係止部の斜視図を示す。また、図５は、コネクタハウジング２の端子保持壁３に形成された端子保持穴４の部分破砕斜視図である。基板用端子１は端子保持穴４に圧入されると、先に述べたように、Ｙ０＜Ｙ’＜Ｙであることから、その後部係止突起１ｄが側壁５の表面に近い位置で広い範囲に食い込むとともに、その前部係止突起１ｃが範囲は狭いが側壁５の表面から深い位置まで端子保持壁３に食い込み、それぞれが効果的に締まり嵌めになって基板用端子１をコネクタハウジング２に保持する。
【００１５】
なお、上記実施の形態において、前部係止突起１ｃと後部係止突起１ｄの形状を互いに入れ替えても、同様の効果が得られる。圧入方向の同一線上に２箇所の係止突起が配置された基板用端子が端子保持穴４の側壁５に圧入されるとき、２箇所の係止突起が側壁に対して同じ位置に同じ断面形状で形成されていると、先行する後部係止突起１ｄにより端子保持穴４の側壁５が塑性変形され、この塑性変形された側壁面に後続する前部係止突起が圧入されるため、前部係止突起による側壁への係止力が不足する恐れがある。しかし、上記実施の形態では、前部係止突起１ｃと後部係止突起１ｄの形状が異なるため、上述の恐れが解消される。
【００１６】
本実施の形態によれば、係止部が簡易な形状なので基板用端子の成形加工が容易になる。また、前部係止突起１ｃと後部係止突起１ｄは、異なる形状、大きさで突起しているので、端子圧入の際に前部係止突起１ｃと後部係止突起１ｄは、互いに異なる部位の端子保持壁３に食い込み保持するから、コネクタハウジングに対し高い端子保持効果が得られるとともに、端子の上下左右方向に対する端子の振れも抑制する効果がある。
【図面の簡単な説明】
【００１７】
【図１】本発明の実施の形態に係る基板用端子を示す平面図である。
【図２】図１に示す基板用端子の前部係止突起を示す断面図である。
【図３】図１に示す基板用端子の後部係止突起を示す断面図である。
【図４】図１に示す基板用端子の係止部を示す斜視図である。
【図５】本発明の実施の形態に係る基板用端子が圧入されるコネクタハウジングの端子保持穴を示す一部破砕斜視図である。
【図６】本発明の実施の形態に係る基板用端子が圧入されるコネクタハウジングの例を示す正面図である。
【符号の説明】
【００１８】
１  基板用端子
１ａ  前部電気接触部
１ｂ  後部電気接続部
１ｃ  前部係止突起
１ｄ  後部係止突起
２  コネクタハウジング
３  端子保持壁
４  端子保持穴
５  側壁
６  天壁
７  底壁
８  基板
【図１】
0004707970.tif 000002
【図２】
0004707970.tif 000003
【図３】
0004707970.tif 000004
【図４】
0004707970.tif 000005
【図５】
0004707970.tif 000006
【図６】
0004707970.tif 000007